(57)【特許請求の範囲】
【請求項１】
断熱性と遮音性を有する芯材を鋼板製の長尺状外側パネルと内側パネルで被覆して外装材を構成し、この外装材同士を接続部材で接続し、この接続部材は、先端におねじを、他端に止着部とこの止着部の端部に係止部を有する棒状部材であり、この接続部材の取付部材に形成した装入穴に前記止着部を回動不能に固着し、この接続部材の取付部材を前記外装材の曲折部に当接させ、前記棒状部材を遮蔽部材を介して胴縁に貫通させ、前記棒状部材のおねじにナットを螺着して胴縁に固定したことを特徴とする建築用外装材を用いた建造物。
【請求項２】
外装材にフレームを固着し、このフレームに直交する鈎部を上向きにしたレールを固着し、このレールの鈎部に掛設可能な溝部を有する外壁部材を掛設して外壁面を構築した請求項１に記載の建築用外装材を用いた建造物。
【請求項３】
外装材にフレームを固着し、このフレームに直交するレールを設け、このレールに設けた凸状部に対して嵌合可能に切欠いて設けた凹状部を有するタイル製の外壁タイルを摺動させて固定して外壁面を構築した請求項１に記載の建築用外装材を用いた建造物。
【発明の詳細な説明】
【０００１】
（技術分野）
本発明は、建築用外装材を用いた建造物に関し、特に、建造物の外壁及び屋根等を施工するために建築用外装材を用いた建造物に関する。
【０００２】
（背景技術）
従来より、建築物の壁面等を施工するために用いられている木製の建築用外装パネルに代わる新しい外装パネルとして、スチール鋼鈑、アルミニウム、及びステンレス等の板材を材料として用いた外装パネルがある。
【０００３】
これらの外装パネルは、板材の内部に樹脂や発泡材などを充填する等の加工が施され、施工時には、隣接する外装パネル同志の側部付近を重合可能になるような形状に設けておき、外装パネル同志を直接接続するか、或は、外装パネル同志が接続可能になるように接合部材を設け、この接合部材を介して隣接する外装パネル同志を密着させるようにして壁面等を構築するようにしている。外装パネルを壁面として固定する際には、例えば、ブレースを補強部材として用いる。
【０００４】
一方、施工現場においては、作業者の高齢化などによって熟練者による労働資源の確保が難しくなってきており、このため建築工法の合理化が望まれていた。
【０００５】
しかしながら、スチール鋼鈑等の板材によって形成した外装パネルを使用して建築物を施工する場合には、建築物の構造が複雑化したりして施工時の作業が困難になるおそれがあった。
【０００６】
例えば、壁面に設けた接続部位の接続構造が複雑になったり、或は、建築物の壁面を構築する際にブレースを使用したりして手間がかかると共に、余分なコストが必要になるという問題も生じていた。
【０００７】
一方では、建築物の屋根を構築する場合には、壁面の場合と使用する部材や施工手順が異なるため、作業が面倒であった。
【０００８】
本件出願人はこれらの従来の課題に鑑みて開発したものであり、その目的とするところは、施工作業を簡略化して施工性を高めることができると共に、建造物のあらゆる箇所に適用することができ、また、建造時にかかるコストを大幅に削減することが可能な建築用外装材を用いた建造物を提供することにある。
【０００９】
（発明の開示）
本発明は、断熱性と遮音性を有する芯材を鋼板製の長尺状外側パネルと内側パネルで被覆して外装材を構成し、この外装材同士を接続部材で接続し、この接続部材は、先端におねじを、他端に止着部とこの止着部の端部に係止部を有する棒状部材であり、この接続部材の取付部材に形成した装入穴に前記止着部を回動不能に固着し、この接続部材の取付部材を前記外装材の曲折部に当接させ、前記棒状部材を遮蔽部材を介して胴縁に貫通させ、前記棒状部材のおねじにナットを螺着して胴縁に固定した建築用外装材を用いた建造物である。
【００１０】
また、外装材にフレームを固着し、このフレームに直交する鈎部を上向きにしたレールを固着し、このレールの鈎部に掛設可能な溝部を有する外壁部材を掛設して外壁面を構築している。
【００１１】
または、外装材にフレームを固着し、このフレームに直交するレールを設け、このレールに設けた凸状部に対して嵌合可能に切欠いて設けた凹状部を有するタイル製の外壁タイルを摺動させて固定して外壁面を構築する。
【００１２】
（発明を実施するための最良の形態）
本発明における建築用外装材の一例を実施例に基づいて詳細に説明する。
第１図において、外装材２は、断熱性・遮音性を有する芯材３を、鋼板で形成した長尺状の薄板部材に亜鉛めっきを施した後に、表面に結露防止剤を塗布した外側パネル５と内側パネル６によって挟持して形成している。芯材３、間隙部材７、挟持部材８、及び固定部材９は、何れも不燃性の材料からなり、例えば、軽量かつ耐水性の加工容易な粉末状の炭酸カルシウム、或はけい酸カルシウムを原料として凝固させたものを使用している。
【００１３】
間隙部材７は、外装材２の外側に位置する外側パネル５を断面略コ字形状に折曲して設けた曲部５ａと、また、外側パネル５の端部を折曲して設けた折曲部５ｂと外装材２の内側に位置する内側パネル６との間に夫々嵌着させるようにして嵌め込んでいる。
【００１４】
また、固定部材９は、外側パネル５と内側パネル６の端部付近同志を接合し、外側パネル５と内側パネル６を一体化している。
【００１５】
４は、建造物１の枠組を構成する胴縁であり、この胴縁４は、断面略矩形状に成形し、水平方向に並設した横パイプ４ａと垂直方向に並設した縦パイプ４ａ′を組合せて構築している。また、１７は、外装材２に沿って外装材２と略等しい高さに設けた鋼製の遮蔽部材であり、この遮蔽部材１７は、図に示すように、断面略波形状に成形し、隣接する外側パネル５或は内側パネル６の接触部位を遮蔽するようにしている。
【００１６】
１０，１１は、接続部材であり、この接続部材１０，１１によって外装材２を胴縁４に固着していると共に、隣接する外装材２，２同志を接続して外装パネルを構築するようにしている。
【００１７】
接続部材１０，１１の各棒状部材１２，１３には、夫々おねじ１２ａ，１３ａを形成し、また、他端部位には略矩形状の止着部１８，１８を設け、更に、止着部１８，１８の先端には円形状の係止部１９，１９を設けている。
【００１８】
１４は、略矩形状で浅い容体状に設けた取付部材であり、略中央部位に止着部１８が止着可能な矩形状の装入穴１４ａを設け、この装入穴１４ａに対して各棒状部材１２，１３をおねじ１２ａ，１３ａの側から夫々装入して装入穴１４ａに止着部１８を止着させると、棒状部材１２，１３は取付部材１４に対して回転できなくなると共に、係止部１９によって棒状部材１２，１３が挿入方向に取外しできないようになっている。
【００１９】
接続部材１０，１１は、棒状部材１２，１３の長さが異なるように形成したものであり、棒状部材１２，１３は、外装材２の厚さ、或は胴縁４を構成するパイプ４ａ，４ａ′の寸法等に応じて任意の長さに成形することができる。なお、取付部材１４は、何れの棒状部材１２，１３と組合せても使用することができる。
【００２０】
第１図〜第４図において、建築物１の壁面を構築する場合について説明する。
まず、胴縁４に予め外装材２の取付位置に適宜の工具で孔４ｂを設けておき、この孔４ｂに外装材２の側から接続部材１０の棒状部材１２を挿入する。挿入時には、遮蔽部材１７に設けた取付穴１７ａ、続けて孔４ｂに対して挿入した後にワッシャ１６を取り付け、おねじ１２ａに螺合可能なめねじ１５ａを有するナット１５を螺着して接続部材１０を胴縁４に仮止めする。
【００２１】
この状態で外装材２，２の内側パネル６の端部を曲折して設けた曲折部６ａ，６ａを取付部材１４の対向面に当接させるようにして、外装材２，２を取付部材１４と遮蔽部材１７との間に把持して仮着させる。
【００２２】
更に、外側パネル５側において、外側パネル５の曲部５ａを取付部材１４と遮蔽部材１７とで挟持するようにして接続部材１１を設け、ワッシャ１６を取付けた後にナット１５をおねじ１３ａに螺着し、各ナット１５，１５を締付けることによって各外装材２，２を胴縁４に固着することができると共に、外装材２，２同志を接続して建築物１の壁面を構築することができる。
【００２３】
挟持部材８は、接続部材１０，１１の取付部材１４，１４同志の間に挟持させるように設けて取付部材１４，１４同志の間に生じる隙間を埋めるようにしているので、接続部材１０，１１を緩み難くして、外装材２，２を強固に接続することができる。
【００２４】
外装材２を連設する場合には、同様にして、外装材２を胴縁４に取付け、隣接する外装材２，２同志を接続して壁面を構築すればよい。
【００２５】
なお、胴縁４の横パイプ４ａと縦パイプ４ａ′が交叉する箇所においては、第３図に示すように、接続部材１０の棒状部材１２を更に長く設けて横パイプ４ａと縦パイプ４ａ′を貫通可能に設けてナット１５で止着するようにする。
【００２６】
横パイプ４ａは、その端部付近を断面コ字形状の取付金具２３に図示しないボルト等の手段で固着しており、この取付金具２３は、建造物１を支えるための支柱２０に固定されている。
【００２７】
更に、支柱２０には、装飾用の内装材２２を貼着した板状部材２１を接着等の手段で固着して建造物１内の密封性を保つように壁面を構成している。板状部材２１は、棒状部材１２の先端に接触するように設け、施工後にぐらつかないようにしている。
【００２８】
第５図において、外装材２の外側には、装飾性を有する外壁部材３０を設け、この外壁部材３０は、アルミや金属等の材料を押出或は引抜成形によって成形している。本実施例においては、外壁部材３０に上向きの溝部３０ａを２箇所設け、また、上下端部に凹部３０ｃと、この凹部３０ｃに嵌合可能な突状の突部３０ｂをそれぞれ形成し、更に、内部にはリブ３０ｄを設けて補強し、外壁部材３０を薄肉状に成形可能にしている。
【００２９】
３２は、外壁部材３０を取り付けるためのレールであり、このレール３２は、フレーム２９に直交するようにしてリベット３３で固着している。フレーム２９は、断面略凸形状であり、外装材２，２同志の接続部位と、外装材２における他の任意の位置に設けることができる。このとき、レール３２の鉤部３２ａが上側に開口するように設ける。
【００３０】
外壁部材３０を取り付ける際には、レール３２の鈎部３２ａに対して外壁部材３０の溝部３０ａを係合するように掛設して建造物１の外壁面を構築するようにする。
【００３１】
第７図は、外壁面にタイルを材料として成形した外壁タイル３６の取付構造を示す断面図であり、この外壁タイル３６には、断面略台形状に切り欠くようにしてレール３５の凸状部３５ａに嵌着可能な形状の凹状部３６ａを設け、また、外壁タイル３６の上下端部位には凹部３６ｃと、この凹部３６ｃに係合可能な突部３６ｂをそれぞれ設けている。３５は、外壁タイル３６を取付け可能に設けたレールである。
【００３２】
外壁タイル３６を取り付ける際には、凸状部３５ａに対して凹状部３６ａを端面方向から摺動させるようにして嵌め込むようにする。このとき、突部３６ｂと凹部３６ｃとの間に適宜の接着部材を塗布する。
【００３３】
なお、外壁部材３０、外壁タイル３６は、何れも図において前後に連続し、外壁部材３０の取付後には突部３０ｂは凹部３０ｃに嵌合し、また、外壁タイル３６の取付後には突部３６ｂは凹部３６ｃに固着しているので、外壁は上下方向に連結して強固な壁面を設けることができる。
【００３４】
次に、第１０図は、本発明の建造物の屋根の一例を示す参考図である。本例においては、建築用外装材２を用いて建築物１の屋根を構築したものであり、上記実施例に示した外装パネルである外装材２を用いて壁面を構築する場合と同様に屋根を構築することができ、外装材２は、壁面を構築する場合と同一の外装パネルである。更には、その取付構造に関しても壁面の場合と略同様にして施工することが可能であり、この場合は、接続部材１０，１１を用いてたるき等からなる保持部材４７に外装材２を取付けることができる。
【００３５】
なお、本例においては、図１３に示すように、外装材２の両端部を金属製の断面略コ字形状の補強部材４２によって補強しており、更に、先端部位には、外側パネル５を伝わって流れる雨水等を滞留して流水させるためのとい４３を固着して設けている。
【００３６】
外装材２を固着する屋根の傾斜角度としては、水平方向に対して略２０°程度傾斜して設けるようにすればよく、建造物１の枠組である横パイプ４７ａ，縦パイプ４７ａ′からなる保持部材４７の上に外装材２を連設するようにして取り付け、外装材２の屋根の頂部側において補強部材４２が対向する間隙部位には、グラスウール等の吸音材を補強部材５０ａで被覆した狭着部材５０を狭着して対向する補強部材４２，４２の間隙を塞ぐようにしている。なお、外装材２を保持部材４７に取付ける際の手順は壁面を構築する場合と同様である。
【００３７】
狭着部材５０は、外装材２，２の間隙に合わせて形成すればよく、むね材４５で狭着部材５０、及び狭着部材５０と外装材２との隙間を覆うと共にボルト等の固着部材４６で外装材２に固着している。一方、連設する外装材２同志の接合部位においては、金具４８を図示しないリベット等の手段で固着して間隙を防ぐようにしている。
【００３８】
外装材２の取付後には、金属等によって成形した保護板５７を敷設するか、或は、炭酸カルシウム、けい酸カルシウム等の材料を発泡させて発泡板状に設けた敷設部材５８、又はアルミ板５９等のうちの何れか又は複数組合せたものを敷設して外装材２を保護するようにした後に、更に、瓦６０をこの上に敷設し、冠瓦６１を屋根の頂部に設けて建造物１の屋根を構築している。
【００３９】
なお、瓦６０及び冠瓦６１は、建造物１の外観等に合わせて粘土、石綿スレート、或は金属等の適宜の材質によって成形したものを使用すればよい。
【００４０】
第１５図は、外装パネルである外装材２を片流れ屋根を有する建造物７１の屋根に適用したものである。建造物７１の片流れ屋根の屋根の勾配としては、約３度程度にするのが望ましい。外装材２は、この勾配に合わせるようにして配設している。
【００４１】
外装材２の上には、ビニールシート、プラスチックフィルムシートで形成した防水機能を有する防水シート７３を熱融着手段で固着し、この防水シート７３上に１ｍｍ程度のアルミニウム板（板状部材）を固着し、この上部に石砂７４、土材７５を略水平になるように設け、この土材７５に草木７７を植栽している。
【００４２】
なお、７６は、第１５図において前後方向に長尺状になるように設け、外装材２上に略鉛直になるようにして設けた仕切板であり、この仕切板７６は、土材７５及び石砂７４を合わせた高さになるように成形し、図に示すように、所定の間隔にて屋根上を区切るようにして設けることによって土材７５、石砂７４を屋根に確実に載置できるようにしている。
【００４３】
第１６図は、建造物内の間仕切りとして外装材６３を用いたものであり、その取付構造を示したものである。本例における外装材６３の上下端部付近には挿入部６３ａ，６３ａを設け、一方、建造物１の天井壁６６と床面５１には各々凹状金具６４、６５を嵌着している。外装材６３の取付時には、先ず上端の挿入部６３ａを凹状金具６４に対して挿入し、外装材６３を上方に引き上げるようにして略垂直状態にしておき、続いて、矢印の方向に移動するようにすると、下側の挿入部６３ａが凹状金具６５に嵌着して外装材６３を固定することができ、建造物１内を間仕切ることができる。
【００４４】
なお、本例における外装材６３は、壁面、或は屋根を構築する場合と同様のものを援用できる。
【００４５】
本例の建造物の床構造を図１７に示す。
床面５１の構造としては、枠組である水平方向の支柱２０の上に板状のコンクリート板５２を配設し、更に、この上に炭酸カルシウム、或はけい酸カルシウム等の原料として板状に凝固させた発泡板５３、エストラマを原料として成形した薄板５４を重合し、更に、畳等の床材５５を敷設することによって床面５１を設けている。
コンクリート板５２は、第１６図に示すように、その両端部付近に切欠部５２ａを設け、この各切欠部５２ａを支柱２０の上に載置するようにすれば、コンクリート板５２を所定の位置に配設することができる。
【００４６】
第１９図は、防火シャッター６８を示す側面図である。
防火シャッター６８は、建造物１の窓枠６７に取り付け、火災時には窓枠の内外に設けたセンサ６８ａ，６８ａが１２０℃程度の熱感知により火災の発生を感知して、収納部７０に巻装して収納しているシャッター部６９を収納部７０から自動的に下げて窓枠６７を閉鎖して矢印方向の火や煙の侵入を遮断するようにしている。
【００４７】
次に、本発明における建築用外装材を用いた建造物の作用を説明する。
本発明の建造物の壁面を構築する際には、外装材２，２同志を接続部材１０，１１を用いて接続することができ、この接続部材１０，１１は、簡単な構造で安価に製造することができるので、コストを大幅に削減することができる。
【００４８】
外装材２，２の接続は、接続部材１０，１１を用いて建造物１の枠組を形成している胴縁４及び保持部材４７に容易に取付けることができるので、施工時の手間を省くことができ、作業に要する時間を削減することができる。
【００４９】
また、外装材２の芯材３は、炭酸カルシウム、或はけい酸カルシウムを材料として成形しているので断熱性に優れ、高耐久性を有し、遮音性に優れ、また、軽量であるから壁面や屋根に加えて間仕切りとしても使用することができ、建造物１を構成する建築部材としてあらゆる箇所に適用することができるので部品点数が増えることがなく、コストを大きく削減することができる。なお、炭酸カルシウム、けい酸カルシウム以外にも、例えば、硬質発泡ウレタンボード等の材料を用いて芯材３を成形するようにしてもよい。
【００５０】
更には、芯材３を被覆する長尺状のパネル５，６には、亜鉛めっきと結露防止剤を施しているので、耐水性に優れ、結露の発生を防ぐことができる。
【００５１】
一方、外装材２にフレーム２９を取り付け、このフレーム２９に固着したレール３２に外壁部材３０を取り付けることができるので、時間と手間をかけずに容易に建造物１の外壁面を構築することができ、しかも、各外壁部材３０毎に取り外しができ、一つずつ交換することができるので、汚れや破損などが生じた場合においては建替えやリフォーム等を行なう必要がなく、コストを抑えた修復を行なうことができる。
【００５２】
（発明の効果）
以上のことから明らかなように、本発明の建築用外装材を用いた建造物によると、施工作業を簡略化して施工性を高めることができる。
【００５３】
外装材を接続する際に用いる接続部材は、構造が簡単であるから、製作が容易でコストを抑えて設けることができる。
【００５４】
また、施工後における建造物は、優れた断熱性・遮音性を発揮し、また、耐久性にも優れた構造を提供することができる。
【００５５】
この外装材は、建造物のあらゆる箇所に取り付けることができ、壁面に取り付ける場合には、接続部材によって簡単に胴縁に固定することができる。
【００５６】
本発明の建築用外装材を用いた建造物の外周には、外壁面を構築することができ、この外壁面は取り付けが容易であり、外壁面の一部のみを交換することができる。また、外壁部材は、押出成形、或は、引抜成形によって安価に大量生産することができる。
【００５７】
更には、外壁面をタイルにて構築すると、外壁面の装飾性をより向上させることができる。
【００５８】
（産業上の利用可能性）
この外装材は、建造物のあらゆる箇所に適用することができ、建造時にかかるコストを大幅に削減することを可能にしている。
【００５９】
外装材を屋根に取り付ける場合には、建造物の枠組である保持部材に固定することができる。
【００６０】
更に、外装材を片流れ屋根の保持部材に固着することによって建造物の屋根の屋上に植栽することができる。
【００６１】
また、本発明の外装材は、建造物の内壁として使用することができ、建造後に建造物内に壁面を設けて間仕切りすることができる。
【００６２】
【図面の簡単な説明】
第１図は、本発明の建築用外装材を用いた建造物の一実施例を示す横断面図である。
第２図は、本発明の建造物の建築用外装材の取付構造を示す斜視図である。
第３図は、本発明の建築用外装材を用いた建造物の一実施例を示す横断面図である。
第４図は、第３図の拡大断面図である。
第５図は、第４図の一部拡大図である。
第６図は、外装材の側面図である。
第７図は、外壁タイルの取付構造を示す断面図である。
第８図は、接続部材を示す参考斜視図である。
第９図は、本発明の建造物の建築用外装材の取付構造を示す参考斜視図である。
第１０図は、本発明の建造物の屋根の一例を示す参考図である。
第１１図は、第１０図の一部拡大図である。
第１２図は、第１１図の参考平面図である。
第１３図は、建築用外装材を示す断面図である。
第１４図は、第１０図の参考斜視図である。
第１５図は、本発明の建築用外装材を片流れ屋根に適用した一例を示す側面図である。
第１６図は、外装材の取付構造を示す説明図である。
第１７図は、建造物の床面の構造を示した断面図である。
図１８図は、第１７図のＡ−Ａ線断面図である。
第１９図は、防火シャッターを示す側面図である。
【００６３】
（符号の説明）
１  建造物
２  外装材
３  芯材
４  胴縁
５  外側パネル
６  内側パネル
１０，１１  接続部材
１２，１３  棒状部材
１４  取付部材
１８  止着部
１９  係止部
【図１】
0004520684.tif 000002
【図２】
0004520684.tif 000003
【図３】
0004520684.tif 000004
【図４】
0004520684.tif 000005
【図５】
0004520684.tif 000006
【図６】
0004520684.tif 000007
【図７】
0004520684.tif 000008
【図８】
0004520684.tif 000009
【図９】
0004520684.tif 000010
【図１０】
0004520684.tif 000011
【図１１】
0004520684.tif 000012
【図１２】
0004520684.tif 000013
【図１３】
0004520684.tif 000014
【図１４】
0004520684.tif 000015
【図１５】
0004520684.tif 000016
【図１６】
0004520684.tif 000017
【図１７】
0004520684.tif 000018
【図１８】
0004520684.tif 000019
【図１９】
0004520684.tif 000020